【手続補正書】
【提出日】平成20年11月27日(2008.11.27)
【手続補正１】
【補正対象書類名】明細書
【補正対象項目名】００１３
【補正方法】変更
【補正の内容】
【００１３】
そして、ガス通路Ｃには、吸着剤としての活性炭が充填される４つの第１〜第４吸着層（活性炭層）Ｃ１〜Ｃ４が、通路長手方向に沿ってチャージ・パージポート１１・１２側（上流側）より順に配置されているとともに、隣り合う２つの吸着層の間に、ガス通路Ｃの長手方向（ガスの通流方向）である通路長手方向Ｌ２（ガス通路内のガスが通流する主方向）で所定幅の第１〜第３空隙部１５〜１７がそれぞれ確保されている。各吸着層Ｃ１〜Ｃ４の両側には、活性炭が漏れ出すことのないように、通気性を有する不織布等のスクリーン（フィルタ）１８〜２２，２５〜２８が配設されている。つまり、第１〜４吸着層Ｃ１〜Ｃ４は、充填された活性炭が通路長手方向Ｌ２でこれらスクリーン間に挟持されることにより吸着層が形成されている。
【手続補正２】
【補正対象書類名】明細書
【補正対象項目名】００１７
【補正方法】変更
【補正の内容】
【００１７】
第１縦方向通路２は略全長にわたって同一断面形状をなしている。従って、この第１縦方向通路２内に嵌合するグリッド２３，スクリーン２０，２１，２２及び第１スペーサ１５Ａは、第１縦方向通路２内をケース縦方向Ｌ１に沿って移動・変位可能である。一方、第２縦方向通路３には、第３吸着層Ｃ３が配置される大径部３Ａと、この大径部３Ａよりも通路断面積が小さく、第４吸着層Ｃ４が配置される小径部３Ｂとを有しており、両者３Ａ，３Ｂの間には底蓋部１０Ｂ側へ面した肩部としての段差面３Ｃが折曲形成されている。第２スペーサ３１と吸着層Ｃ４との間のスクリーン２８は、通気性及び伸縮性を有するウレタンフォーム等の伸縮体であり、小径部３Ｂ内に嵌合しており、ケース縦方向Ｌ１に圧縮された状態で、第４吸着層Ｃ４の端面と第２スペーサ３１の端面との間に介装されている。
【手続補正３】
【補正対象書類名】明細書
【補正対象項目名】００１８
【補正方法】変更
【補正の内容】
【００１８】
第２スペーサ３１は、製造時に第２縦方向通路３内に開口部１０Ａからポート壁部１０Ｃへ向かって差し込まれることにより、開口部１０Ａ側への移動が拘束された状態で、第２縦方向通路３の壁面に係止される、いわゆるスナップフィット式の取付・固定構造となっている。詳しくは、図４に示すように、略直方体形状をなす第２スペーサ３１は、四方の側壁３２内に多数のガス通路３３が格子状に形成された枠体構造をなしており、その通気方向の一端側が、組付時に上記の段差面３Ｃに良好に突当てられるように、小径部３Ｂより大きく、大径部３Ａよりも小さくなっている。第２スペーサ３１の他端には、側壁３２から外方へ張り出したフランジ部３４が形成されている。このフランジ部３４の四辺には、側壁３２に沿って上方へ立ち上がる舌状で可撓性を有する係止片部３５がそれぞれ形成されている。各係止片部３５の突出端には、外側へ鉤状に張り出した爪部３６が形成されている。一方、第２縦方向通路３の内壁面には、上記の爪部３６が引っ掛かって係止されるビード３０が形成されている。
【手続補正４】
【補正対象書類名】明細書
【補正対象項目名】００１９
【補正方法】変更
【補正の内容】
【００１９】
製造時には、底蓋部１０Ｂが取り付けられる前のケース本体１０の開口部１０Ａを上向きにした状態で、この開口部１０Ａよりスクリーン、スペーサ、グリッド、活性炭（吸着剤）及びリターンスプリングが順次ケース本体１０内に挿入・組付けられ、最後に底蓋部１０Ｂがケース本体１０の開口端面に接合される。例えば、第２縦方向通路３には、先ずスクリーン２７が組み付けられ、次いで第４吸着層Ｃ４となる活性炭が充填され、次いで伸縮体であるスクリーン２８が開口部１０Ａより差し込まれて組み付けられる。このスクリーン２８の組付直後の状態では、伸縮性のあるスクリーン２８は自由長の状態にあり、その一部が段差面３Ｃよりも大径部３Ａ側へシール代を考慮して張り出している。次いで、第２スペーサ３１を開口部１０Ａより差し込み、ポート壁部１０Ｃ側へと押し込んでいくと、スクリーン２８が圧縮されていき、更に押し込むと、係止片部３５が撓みつつその先端の爪部３６がビード３０を乗り越えて、このビード３０に引っ掛かり、ケース本体１０に対して固定される。この固定状態にあっては、第２スペーサ３１は、スクリーン２８からの圧縮反発力を受けるので、爪部３６がビード３０に確実に係合し、ケース縦方向Ｌ１に関して移動することなく安定して所定位置に固定される。
【手続補正５】
【補正対象書類名】明細書
【補正対象項目名】００３０
【補正方法】変更
【補正の内容】
【００３０】
（４）第３吸着層Ｃ３を第４吸着層Ｃ４側へ付勢する第２付勢手段としての第２リターンスプリング２４ｂと、第３吸着層Ｃ３と第４吸着層Ｃ４との間に介装されるとともに、第２縦方向通路３の中間位置に固定され、第３空隙部１７を一定に保つ非伸縮性の第２スペーサ３１と、通気性及び伸縮性を有し、第２スペーサ３１と第４吸着層Ｃ４との間にケース縦方向Ｌ１で圧縮状態で介装される伸縮体であるスクリーン２８と、を有している。
【手続補正６】
【補正対象書類名】明細書
【補正対象項目名】００３１
【補正方法】変更
【補正の内容】
【００３１】
従って、例えば吸着剤（活性炭）が摩減して吸着層Ｃ３，Ｃ４の体積が減少した場合、第３吸着層Ｃ３に関しては第２リターンスプリング２４ｂがその分のびることにより圧縮付勢状態に維持され、第４吸着層Ｃ４に関してはスクリーン２８がその分のびることにより圧縮付勢状態に維持される。また、このような吸着層の容積変化にかかわらず、第２スペーサ３１により第３空隙部１７の位置及び空間容積を一定に保つことができる。
【手続補正７】
【補正対象書類名】明細書
【補正対象項目名】００３２
【補正方法】変更
【補正の内容】
【００３２】
（５）第２縦方向通路３は、上記第３吸着層Ｃ３が配置される大径部３Ａと、この大径部３Ａよりも通路断面積が小さく、上記第４吸着層Ｃ４が配置される小径部３Ｂと、を有し、スクリーン２８は小径部３Ｂ内に嵌合しており、第２スペーサ３１は大径部３Ａ内に嵌合している。これにより、複数の吸着層Ｃ１〜Ｃ４の中で、最もドレンポート１３寄りの第４吸着層Ｃ４の通路断面積及び容積を小さくして、そのＬ／Ｄ（通路長／通路幅）及びパージＢＶ（単位体積あたりのパージ空気量）を高くし、脱離効率を向上することができる。
【手続補正８】
【補正対象書類名】明細書
【補正対象項目名】００３３
【補正方法】変更
【補正の内容】
【００３３】
（６）ケーシング１のケース縦方向Ｌ１の一端に開口形成される開口部１０Ａを閉塞する底蓋部１０Ｂと、第２スペーサ３１を、第２縦方向通路３内に開口部１０Ａから差し込むことにより、開口部１０Ａ側への移動が拘束された状態で、上記第２縦方向通路３に係止させるスナップフィット手段と、を有している。このようなスナップフィット式の第２スペーサ３１を用いることによって、キャニスタ製造時に上記のスクリーン２８を含めた各部品や吸着剤を開口部１０Ａより差し込んで組み付けることが可能となる。
【手続補正９】
【補正対象書類名】明細書
【補正対象項目名】００３４
【補正方法】変更
【補正の内容】
【００３４】
（７）ドレンポート１３からの蒸発燃料の放出を防止しつつ吸着・脱離効率を有効に向上するために、チャージ・パージポート１１・１２側から第１，第２，第３及び第４吸着層Ｃ１〜Ｃ４の順に、通路断面積Ｓ１〜Ｓ４が同等又は小さくなるように設定されている。具体的には、第１吸着層Ｃ１と第２吸着層Ｃ２の通路断面積Ｓ１，Ｓ２が同等とされており、第３吸着層Ｃ３の通路断面積Ｓ３が第２吸着層Ｃ２の通路断面積Ｓ２の約１／３とされており、第４吸着層Ｃ４の通路断面積Ｓ４が第３吸着層Ｃ３の通路断面積Ｓ３よりも小さく設定されている。
【手続補正１０】
【補正対象書類名】明細書
【補正対象項目名】００３６
【補正方法】変更
【補正の内容】
【００３６】
１…ケーシング
２，３…縦方向通路
４…Ｕターン通路
１１…チャージポート
１２…パージポート
１３…ドレンポート
１４…仕切壁部
１５〜１７…空隙部
１５Ａ，３１…スペーサ
Ｃ１〜Ｃ４…吸着層
【手続補正１１】
【補正対象書類名】図面
【補正対象項目名】図１
【補正方法】変更
【補正の内容】
【図１】
2007146793.tif 000001